(57)【特許請求の範囲】
【請求項１】
背面側偏光板と、
該背面側偏光板に対向するように配置されている前面側偏光板と、
該前面側偏光板と前記背面側偏光板との間に配置されている液晶層と、
該液晶層と前記前面側偏光板との間に配置されている、ネガティブＣ性の透明ポリイミド基板と該透明ポリイミド基板の表面に配置されている透明電極とを有するタッチパネルと、
前記液晶層と前記タッチパネルとの間に配置されているポジティブＣ層と、
を備えていることを特徴とするタッチパネル付き液晶表示装置。
【請求項２】
前記透明電極がＩＴＯ透明電極であることを特徴とする請求項１に記載のタッチパネル付き液晶表示装置。
【発明の詳細な説明】
【技術分野】
【０００１】
本発明は、タッチパネルを備える液晶表示装置に関する。
【背景技術】
【０００２】
従来のタッチパネル付き液晶表示装置としては、液晶表示装置の上にタッチパネルが配置されているアウトセルタイプのものが広く用いられている（例えば、特開２０１２−２３０４９１号公報（特許文献１））。このアウトセルタイプのタッチパネル付き液晶表示装置は、液晶表示装置の上にタッチパネルが重ねられているため、厚みがあるだけでなく、タッチパネルのセンサーパターンが見えるという、いわゆる、骨見えの問題があった。
【０００３】
そこで、このような骨見えを防止するために、液晶表示装置の前面側偏光板と液晶層との間にタッチパネルが配置されている、インナーセルタイプのタッチパネル付き液晶表示装置が提案されている（例えば、特開平８−１６１１１６号公報（特許文献２））。このようなインナーセルタイプのタッチパネル付き液晶表示装置においては、前面側偏光板よりも内側（液晶層側）にタッチパネルが配置されているため、タッチパネル用基板には光等方性が要求される。したがって、アウトセルタイプのタッチパネル付き液晶表示装置に用いられているポリエチレンテレフタレート基板は、複屈折が大きい（光等方性が低い）ため、インナーセルタイプのタッチパネル付き液晶表示装置に用いることはできなかった。このため、インナーセルタイプのタッチパネル付き液晶表示装置においては、タッチパネル用基板として、シクロオレフィン系ポリマー基板等の複屈折が小さい（光等方性を有する）樹脂からなる基板を用いる必要があった。
【０００４】
しかしながら、シクロオレフィン系ポリマーは耐熱性が低いため、シクロオレフィン系ポリマー基板の表面に透明電極を形成する際に、高温で加熱処理を行うことができず、透明電極の導電性が低くなるという問題があった。このため、シクロオレフィン系ポリマー基板は、大画面のインナーセルタイプのタッチパネル付き液晶表示装置におけるタッチパネル用基板としては不向きであった。
【先行技術文献】
【特許文献】
【０００５】
【特許文献１】特開２０１２−２３０４９１号公報
【特許文献２】特開平８−１６１１１６号公報
【発明の概要】
【発明が解決しようとする課題】
【０００６】
本発明は、上記従来技術の有する課題に鑑みてなされたものであり、導電性に優れた透明電極を有するタッチパネルを備えている、インナーセルタイプのタッチパネル付き液晶表示装置を提供することを目的とする。
【課題を解決するための手段】
【０００７】
本発明者らは、上記目的を達成すべく鋭意研究を重ねた結果、ポリイミドの優れた耐熱性に着目し、タッチパネル用基板として透明ポリイミド基板を用いることによって、透明電極を形成する際に高温での加熱処理が可能となり、導電性に優れた透明電極を備えているタッチパネルが得られることを見出した。
【０００８】
しかしながら、透明ポリイミド基板は、ネガティブＣ性の複屈折を有するものであるため、インナーセルタイプのタッチパネル付き液晶表示装置のタッチパネル用基板としてそのまま使用すると、表示が乱れるという問題があった。
【０００９】
そこで、本発明者らは、このようなネガティブＣ性の透明ポリイミド基板とホメオトロピック配向性を有する層（ポジティブＣ層）とを組み合わせることによって、前記透明ポリイミド基板のネガティブＣ性が前記ポジティブＣ層により光学補償され、表示の乱れが改善されることを見出し、本発明を完成するに至った。
【００１０】
すなわち、本発明のタッチパネル付き液晶表示装置は、
背面側偏光板と、
該背面側偏光板に対向するように配置されている前面側偏光板と、
該前面側偏光板と前記背面側偏光板との間に配置されている液晶層と、
該液晶層と前記前面側偏光板との間に配置されている、ネガティブＣ性の透明ポリイミド基板と該透明ポリイミド基板の表面に配置されている透明電極とを有するタッチパネルと、
前記液晶層と前記タッチパネルとの間に配置されているポジティブＣ層と、
を備えていることを特徴とするものである。
【００１１】
このような本発明のタッチパネル付き液晶表示装置において、前記透明電極はＩＴＯ透明電極であることが好ましい。
【発明の効果】
【００１２】
本発明によれば、導電性に優れた透明電極を有するタッチパネルを備えている、インナーセルタイプのタッチパネル付き液晶表示装置を得ることが可能となる。
【図面の簡単な説明】
【００１３】
【図１】本発明のタッチパネル付き液晶表示装置の実施形態の一例を示す模式図である。
【図２】本発明のタッチパネル付き液晶表示装置の他の実施形態の一例を示す模式図である。
【発明を実施するための形態】
【００１４】
本発明のタッチパネル付き液晶表示装置は、
背面側偏光板と、
該背面側偏光板に対向するように配置されている前面側偏光板と、
該前面側偏光板と前記背面側偏光板との間に配置されている液晶層と、
該液晶層と前記前面側偏光板との間に配置されている、ネガティブＣ性の透明ポリイミド基板を有するタッチパネルと、
該タッチパネルの隣に配置されているポジティブＣ層と、
を備えているインナーセルタイプのタッチパネル付き液晶表示装置である。
【００１５】
以下、図面を参照しながら本発明の好適な実施形態について詳細に説明するが、本発明は前記図面に限定されるものではない。なお、以下の説明及び図面中、同一又は相当する要素には同一の符号を付し、重複する説明は省略する。
【００１６】
図１及び図２に示すように、本発明のタッチパネル付き液晶表示装置は、バックライト１、背面側偏光板２、液晶層（液晶表示素子）３、ネガティブＣ性の透明ポリイミド基板を有するタッチパネル４、ポジティブＣ層５、前面側偏光板６、及びカバーガラス７を備えるものである。
【００１７】
本発明のタッチパネル付き液晶表示装置において、バックライト１とカバーガラス７とは、互いに対向するように配置されており、これらの間に、背面側偏光板２と前面側偏光板６とが互いに対向するように配置されている。液晶層３は、背面側偏光板２と前面側偏光板６との間に配置されており、タッチパネル４及びポジティブＣ層５は、互いに隣に位置した状態で、液晶層３と前面側偏光板６との間に配置されている。このように、本発明のタッチパネル付き液晶表示装置においては、タッチパネル４とポジティブＣ層５とが互いに隣に位置した状態で配置されているため、タッチパネル４を構成する透明ポリイミド基板のネガティブＣ性がポジティブＣ層５によって光学補償され、表示の乱れが改善される。
【００１８】
また、本発明のタッチパネル付き液晶表示装置において、ポジティブＣ層は、図１に示すように、タッチパネル４と前面側偏光板６との間に、すなわち、タッチパネル４の前面側の隣に配置されていてもよいし、図２に示すように、液晶層３とタッチパネル４との間に、すなわち、タッチパネル４の液晶層側の隣に配置されていてもよい。
【００１９】
さらに、本発明のタッチパネル付き液晶表示装置において、タッチパネル４は、透明ポリイミド基板が１層のもの（図１及び図２）であっても、２層のもの（図面なし）であってもよい。透明ポリイミド基板が２層の場合、一方の透明ポリイミド基板が、ポジティブＣ層とともに液晶層３と前面側偏光板６との間に配置されていれば、他方の透明ポリイミド基板は、ポジティブＣ層とともに液晶層３と前面側偏光板６との間に配置されていても、前面側偏光板６とカバーガラス７との間に配置されていてもよい（後者の場合、ポジティブＣ層は任意）。
【００２０】
本発明において、タッチパネル４は、ネガティブＣ性の透明ポリイミド基板を有するものであれば特に制限はないが、通常、透明ポリイミド基板の表面に透明電極が配置されたものである（透明電極は図示せず。）。前記透明電極としては特に制限はないが、タッチパネル用基板としてネガティブＣ性の透明ポリイミド基板を用いる利点を十分に生かすという観点から、ＩＴＯ透明電極が好ましい。上述したように、本発明においては、耐熱性に優れた透明ポリイミド基板をタッチパネル用基板として用いているため、透明ポリイミド基板の表面に透明電極を形成する際に、高温（好ましくは１８０℃以上）での加熱処理が可能となり、導電性に優れた透明電極を形成することが可能となる。なお、前記ネガティブＣ性の透明ポリイミド基板は、下記式：
ｎｚ＜ｎｙ≦ｎｘ
（式中、ｎｘは波長５５０ｎｍの光に対するネガティブＣ性の透明ポリイミド基板の面内の最大主屈折率、ｎｙは波長５５０ｎｍの光に対するネガティブＣ性の透明ポリイミド基板の面内の最大主屈折率を有する方向に直交する方向の主屈折率、ｎｚは波長５５０ｎｍの光に対するネガティブＣ性の透明ポリイミド基板の厚さ方向の主屈折率である。）
で表わされる屈折率特性を満たすものである。
【００２１】
また、本発明において、波長５５０ｎｍの光に対する、タッチパネル４を構成するネガティブＣ性の透明ポリイミド基板の厚さ方向のリターデーションＲｔｈ（ＰＩ）及びポジティブＣ層５の厚さ方向のレタデーションＲｔｈ（ｐＣ）は、下記式：
−１０ｎｍ＜Ｒｔｈ（ＰＩ）＋Ｒｔｈ（ｐＣ）＜＋１０ｎｍ
で表される条件を満たすことが好ましい。これにより、透明ポリイミド基板のネガティブＣ性がポジティブＣ層５によって十分に光学補償され、表示の乱れがより改善される。
【００２２】
さらに、本発明において、ポジティブＣ層は、下記式：
ｎｙ≦ｎｘ＜ｎｚ
（式中、ｎｘは波長５５０ｎｍの光に対するポジティブＣ層の面内の最大主屈折率、ｎｙは波長５５０ｎｍの光に対するポジティブＣ層の面内の最大主屈折率を有する方向に直交する方向の主屈折率、ｎｚは波長５５０ｎｍの光に対するポジティブＣ層の厚さ方向の主屈折率である。）
で表わされる屈折率特性を満たすものである。
【００２３】
また、ポジティブＣ層は、波長５５０ｎｍの光に対する、面内リターデーションＲｅ及び厚さ方向のリターデーションＲｔｈが、下記式：
０ｎｍ≦Ｒｅ≦２０ｎｍ
−５００ｎｍ≦Ｒｔｈ≦−３０ｎｍ
で表される条件を満たすことが好ましい。これにより、透明ポリイミド基板のネガティブＣ性がポジティブＣ層５によって十分に光学補償され、表示の乱れが更に改善される傾向にある。
【００２４】
本発明に用いられる透明ポリイミド基板としては、ネガティブＣ性を有するものであれば特に制限はないが、例えば、特開２００６−１３７８８１号公報に記載の可溶性ポリイミドからなる基板、特開２０１４−１５６５８４号公報に記載のポリイミドからなる基板、特開２０１４−１７３０７１号公報に記載のポリイミドフィルム等が挙げられる。
【００２５】
また、本発明に用いられるポジティブＣ層としては、ポジティブＣ性を有する層であれば特に制限はないが、例えば、特開２００６−３３７５７５号公報に記載のホメオトロピック配向液晶フィルム（ポジティブＣ型位相差フィルム）を用いて形成された層等が挙げられる。
【００２６】
本発明に用いられる、バックライト１、背面側偏光板２、液晶層３、前面側偏光板６、及びカバーガラス７としては、特に制限はなく、公知のインナーセルタイプのタッチパネル付き液晶表示装置に用いられるものを適宜選択して用いることができる。
【００２７】
本発明のタッチパネル付き液晶表示装置において、タッチパネル４とポジティブＣ層５は、直接（他の層を介さずに）隣接していることが好ましいが、公知の光等方性を有する層を介して近接していてもよい。
【００２８】
また、本発明のタッチパネル付き液晶表示装置においては、バックライト１と背面側偏光板２との間、背面側偏光板２と液晶層３との間、液晶層３とタッチパネル４との間、ポジティブＣ層５と前面側偏光板６との間、前面側偏光板６とカバーガラス７との間に他の層が配置されていてもよい。このような他の層としては、公知のインナーセルタイプのタッチパネル付き液晶表示装置に用いられる層であれば特に制限はない。
【００２９】
このような本発明のタッチパネル付き液晶表示装置は、例えば、以下の方法により製造することができる。図１に示す本発明のタッチパネル付き液晶表示装置の場合には、先ず、液晶層（液晶表示素子）３の背面側に背面側偏光板２を貼り付け、前面側にタッチパネル４（予め表面に透明電極を形成したネガティブＣ性の透明ポリイミド基板）を貼り付ける。次に、タッチパネル４の前面側にポジティブＣ層５及び前面側偏光板６を配置する。このとき、予め前面側偏光板６を貼り付けたポジティブＣ層５をタッチパネル４の前面側に、ポジティブＣ層５とタッチパネル４とが互いに隣に位置するように、貼り付けてもよいし、タッチパネル４の前面側にポジティブＣ層５を形成した後、ポジティブＣ層５の前面側に前面側偏光板６を貼り付けてもよい。その後、前面側偏光板６の前面にカバーガラス７を貼り付け、背面側偏光板２の背面にバックライト１を装着する。
【００３０】
また、図２に示す本発明のタッチパネル付き液晶表示装置の場合には、先ず、液晶層（液晶表示素子）３の背面側に背面側偏光板２を貼り付け、前面側にポジティブＣ層５を形成する。次に、ポジティブＣ層５の前面側にタッチパネル４（予め表面に透明電極を形成したネガティブＣ性の透明ポリイミド基板）を貼り付けた後、タッチパネル４の前面側に前面側偏光板６を貼り付ける。その後、前面側偏光板６の前面にカバーガラス７を貼り付け、背面側偏光板２の背面にバックライト１を装着する。
【産業上の利用可能性】
【００３１】
以上説明したように、本発明によれば、導電性に優れた透明電極を有するタッチパネルを備えている、インナーセルタイプのタッチパネル付き液晶表示装置を得ることが可能となる。
【００３２】
したがって、本発明のタッチパネル付き液晶表示装置は、タッチパネルを構成する透明電極の導電性に優れているため、大画面のタッチパネル付き液晶表示装置等に適用することができる。
【符号の説明】
【００３３】
１：バックライト
２：背面側偏光板
３：液晶層（液晶表示素子）
４：ネガティブＣ性の透明ポリイミド基板を有するタッチパネル
５：ポジティブＣ層
６：前面側偏光板
７：カバーガラス
【図１】
0006482985.tif 000002
【図２】
0006482985.tif 000003